【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
ロールのラベル媒体を収納し、カートリッジから該ロールのラベル媒体を供給するプリンタカートリッジであって、
上壁及び下壁を有する筐体と、
枢軸の回りを枢動するため前記上壁及び下壁の間に枢着され、ロールのラベル媒体を支持し前記枢軸から離間されかつ平行な長手方向の軸を有するラベル媒体巻出しシャフトを含むヨークと、
前記上壁及び下壁の間に回転自在に設けられ、前記ロールのラベル媒体と係合可能なラベル媒体駆動ローラと、
媒体通路の始点を定めるため、前記ヨークを前記ラベル媒体駆動ローラの方向へ付勢し、前記ロールのラベル媒体を該ラベル媒体駆動ローラと接触する状態に維持する付勢手段と、を備えるプリンタカートリッジ。
【請求項２】
前記ヨークが前記ラベル媒体巻出しシャフトの一端を支持する媒体ガイドを含む請求項１に記載のプリンタカートリッジ。
【請求項３】
前記媒体ガイドが、前記ラベル媒体巻出しシャフトに対して軸方向に移動可能な請求項２に記載のプリンタカートリッジ。
【請求項４】
前記媒体ガイドが、前記ラベル媒体巻出しシャフトに対して複数の設定位置のいずれか一つに配置可能な請求項３に記載のプリンタカートリッジ。
【請求項５】
前記ヨークが前記枢軸を定める枢軸シャフトを含み、前記媒体ガイドが該枢軸シャフトに対して軸方向に移動可能な請求項２に記載のプリンタカートリッジ。
【請求項６】
前記媒体ガイドが前記枢軸シャフトに対して複数の設定位置のいずれか一つに配置可能な請求項５に記載のプリンタカートリッジ。
【請求項７】
前記付勢手段が前記枢軸の回りに巻きつけられた捻りバネである請求項１に記載のプリンタカートリッジ。
【請求項８】
前記上壁及び下壁の間に支持されたインクリボン巻出しスプール及びインクリボン巻取りスプールを備える請求項１に記載のプリンタカートリッジ。
【請求項９】
前記インクリボン巻出しスプール及び前記インクリボン巻取りスプールの少なくとも一方の少なくとも一端、並びに前記上壁及び下壁の少なくとも一方の間に設けられたドラッグワッシャを備える請求項８に記載のプリンタカートリッジ。
【請求項１０】
前記インクリボン巻出しスプールによって支持されたロールのインクリボンを備える請求項８に記載のプリンタカートリッジ。
【請求項１１】
前記ラベル媒体巻出しシャフトによって支持されたロールのラベル媒体を備える請求項１に記載のプリンタカートリッジ。
【請求項１２】
上壁及び下壁を有する筐体と、
該上壁及び下壁の間に設けられ、少なくとも１つの媒体ガイド及び両端を有し該両端の間に延びる長手方向の軸を持つラベル媒体巻出しシャフトを含むヨークと、を備えるロールのラベル媒体を収納するプリンタカートリッジであって、
前記媒体ガイドが前記ラベル媒体巻出しシャフトの一端を支持し、様々な幅の媒体に対応するため、該媒体ガイドが前記長手方向の軸に沿って軸方向に移動可能であって、前記ヨークが、枢軸の回りを枢動するよう前記上壁及び下壁の間に前記ヨークを枢着する枢軸シャフトを含むプリンタカートリッジ。
【請求項１３】
ラベル媒体駆動ローラが前記上壁及び下壁の間に回転自在に取り付けられ、媒体通路の始点を定めるため、前記ロールのラベル媒体を該ラベル媒体駆動ローラと接触する状態に維持するよう付勢手段が前記ヨークを該ラベル媒体駆動ローラの方向へ付勢する請求項１２に記載のプリンタカートリッジ。
【請求項１４】
前記媒体ガイドが前記ラベル媒体巻出しシャフトに対して複数の設定位置のいずれか一つに配置可能な請求項１２に記載のプリンタカートリッジ。
【請求項１５】
前記媒体ガイドが前記枢軸シャフトに対して軸方向に移動可能である請求項１２に記載のプリンタカートリッジ。
【請求項１６】
前記媒体ガイドが前記枢軸シャフトに対して複数の設定位置のいずれか一つに配置可能な請求項１５に記載のプリンタカートリッジ。
【請求項１７】
前記付勢手段が前記枢軸の回りに巻きつけられた捻りバネである請求項１３に記載のプリンタカートリッジ。
【請求項１８】
前記ラベル媒体巻出しシャフトによって支持されたロールのラベル媒体を備える請求項１２に記載のプリンタカートリッジ。
【請求項１９】
上壁及び下壁を有する筐体と、
該上壁及び下壁の間に設けられ、少なくとも１つの媒体ガイド及び両端を有し該両端の間に延びる長手方向の軸を持つラベル媒体巻出しシャフトを含むヨークと、を備えるロールのラベル媒体を収納するプリンタカートリッジであって、
前記媒体ガイドが前記ラベル媒体巻出しシャフトの一端を支持し、様々な幅の媒体に対応するため、該媒体ガイドが前記長手方向の軸に沿って軸方向に移動可能であって、
前記上壁及び下壁の間に支持されたインクリボン巻出しスプール及びインクリボン巻取りスプールと、
前記インクリボン巻出しスプール及び前記インクリボン巻取りスプールの少なくとも一方の少なくとも一端、並びに前記上壁及び下壁の少なくとも一方の間に設けられたドラッグワッシャと、を備えるプリンタカートリッジ。
【請求項２０】
前記インクリボン巻出しスプールによって支持されたロールのインクリボンを備える請求項１９に記載のプリンタカートリッジ。
【請求項２１】
ロールのラベル媒体を収納し、カートリッジから該ラベル媒体を供給するプリンタカートリッジであって、
上壁及び下壁を有する筐体と、
枢軸の回りを枢動するため該上壁及び下壁の間に枢着され、少なくとも１つの媒体ガイド、及びロールのラベル媒体を支持し前記枢軸から離間されかつ平行な長手方向の軸を有するラベル媒体巻出しシャフトを含むヨークであって、前記媒体ガイドが前記ラベル媒体巻出しシャフトの一端を支持し、様々な幅の媒体に対応するため、該媒体ガイドが前記長手方向の軸に沿って軸方向に移動可能であるヨークと、
前記上壁及び下壁の間に回転自在に取り付けられ、前記ラベル媒体と係合可能なラベル媒体駆動ローラと、
媒体通路の始点を定めるため、前記ヨークを前記ラベル媒体駆動ローラの方向へ付勢し、前記ロールのラベル媒体を該ラベル媒体駆動ローラと接触する状態に保持する付勢手段と、を備えるプリンタカートリッジ。
【請求項２２】
前記媒体ガイドが前記ラベル媒体巻出しシャフトに対して軸方向に移動可能な請求項２１に記載のプリンタカートリッジ。
【請求項２３】
前記媒体ガイドが前記ラベル媒体巻出しシャフトに対して複数の設定位置のいずれか一つに配置可能な請求項２２に記載のプリンタカートリッジ。
【請求項２４】
前記ヨークが前記枢軸を定める枢軸シャフトを含み、前記媒体ガイドが該枢軸シャフトに対して複数の設定位置のいずれか一つに配置可能な請求項２１に記載のプリンタカートリッジ。
【請求項２５】
前記付勢手段が前記枢軸の回りに巻きつけられた捻りバネである請求項２１に記載のプリンタカートリッジ。
【請求項２６】
前記上壁及び下壁の間に支持されたインクリボン巻出しスプール及びインクリボン巻取りスプールを備える請求項２１に記載のプリンタカートリッジ。
【請求項２７】
前記インクリボン巻出しスプール及び前記インクリボン巻取りスプールの少なくとも一方の少なくとも一端、並びに前記上壁及び下壁の少なくとも一方の間に設けられたドラッグワッシャを備える請求項２６に記載のプリンタカートリッジ。
【請求項２８】
前記インクリボン巻出しスプールによって支持されたロールのインクリボンを備える請求項２６に記載のプリンタカートリッジ。
【請求項２９】
前記ラベル媒体巻出しシャフトによって支持されたロールのラベル媒体を備える請求項２１に記載のプリンタカートリッジ。